(57)【要約】【課題】  簡単に処理できる犬等ペット類の大便用便器【解決手段】  水溶紙と、水に濡れても溶けたり破れたりしないビニール等の紙ようのものを重ね合わせて、それらに水溶紙で作ったひもを通して一体にした立体的な便器とその補助具により、便をする仕草をした犬等ペットの尻の下に補助具に取り付けた大便用便器を置き大便をさせる。大便後、飼い主が補助具から大便用便器を取り外し、これを自宅に持ち帰り、大便用便器からビニール等を取り外して、水溶紙もろとも自宅の水洗トイレに流す。【選択図】  図１
2005046131.tif 000002
【特許請求の範囲】
【請求項１】
水溶紙で広口のボトル型に作った容器と、水に濡れても溶けたり破れたりしない薄いビニール等に、はがしやすいように破線を入れ、下部にポケット部分を設けた前記水溶紙容器を包み込むことのできる容器と重ね合わせたこれらの容器の広口部分に複数個の穴をあけ、この穴に水溶紙で作った紐を通すことによって一体化した犬の大便用便器。
【請求項２】
マジックテープのオスを上あるいは下に向け、同じくメスを下あるいは上に向け、それらの背中同志を、糸で縫い合わせたり接着剤で貼り合わせる等して、一本のテープにしたマジックテープ。
【請求項３】
先端にオスネジ切りを入れ、その反対側に服のポケット等にひっかけることのできるフックをつけ、ラジオアンテナのように自由に伸ばしたり縮じめたりすることのできる伸縮自在棒と、円柱の中心部に貫通穴をあけ、その穴の先端部分にメスネジ切りを入れ、このネジ穴に前記伸縮自在棒の先端をネジ込むことによって一体化することができ、さらにこの円柱の中心部の貫通穴の両横にも二つの貫通穴を通し、この両穴に、先端部を鋭角にし後方部を円形あるいは角形等にした金属線の両末端部分を二つの穴に一本ずつ通し、円柱からはみ出した部分を、一方を円柱部分に固定した上面と下面にそれぞれオスとメスをつけたマジックテープ等で固定することによって組み立てたり、あるいは分解したりできる犬の大便用便器の補助具。
【発明の詳細な説明】
【発明の詳細な説明】
【産業上の利用分野】
【０００１】  本発明は、昨今のペットブームで国民や地方自治体が目に余ったり、困惑している犬の大便を、簡単に処理するための携帯用便器と携帯用補助具である。
【背景技術】
【０００２】  従来、犬やペット用の本格的なポータブルトイレは特願平１０−３７４９１４や、その補助具の特願２０００−３９６２７０位である。【０００３】  しかし、この特願平１０−３７４９１４は風の強い日には使いにくく、その補強策としての特願２０００−３９６２７０は雨に弱い（地面に溜まった雨水に濡れると、水溶紙や水溶紙で作った紐が溶けてしまうという欠点があった。
【発明が解決しようとする課題】
【０００４】  これらの水溶紙や水溶紙で作った紐が雨水に溶けないようにするために、できるだけ雨水や地面に溜まった雨水に触れないようにしようとしたものである。
【課題を解決するための手段】
【０００５】  水溶紙や水容紙で作った紐が雨水に触れないようにするために、外側のビニール等で作った覆いの下部にポケットを設けて、そのポケットの部分に金属線にかけた犬の大便用便器の鋭角部分を入れ込むようにすれば水溶紙部分が地面の水溜まりに触れることがなくなり、水容紙や水溶紙で作った紐が破れたり切れたりすることがなくなる。このためには犬の大便用便器をもっと立体的に作る。補助具も水溶紙の紐にひっかけなくてもよくなるので構造が簡易になる。
【発明を実施するための最良の形態】
【０００６】  以下、図面を参照しつつ本発明を詳細に説明する。図１の１０１は水溶紙で作った口の広い円柱形の便器である。１０２は薄いビニール等で作りはがしやすいように破線を入れ下部にポケットを設けた便器の覆いである。１０３は水溶紙で作った紐を通すための穴である。１０４は水溶紙で作った紐である。１０２の内側に１０１を、１０３の穴が重なるように入れて、重なった穴に１０４を通すと犬の大便用便器となる。【０００７】  図２の２０１はマジックテープのオス、２０２はマジックテープのメス、２０３はこの２０１と２０２の背中どうしを糸で縫い合わせたり接着剤で貼り合わせる等してくっつけたものである。【０００８】  図３の３０１は先端を鋭角にし後方を円形あるいは角形等にした金属線である。３０２は中心部とその両横に貫通穴（３０３、３０４、３０５）を通し、マジックテープ（２０３）を取り付ける引っかけ（３０６）を設けた円柱である。３０７は先端にネジ切り（３０８）を入れ、フック（３０９）をつけた伸縮自在棒である。３０３（中心部の貫通穴）には先端部分にネジ切りが入っている。【０００９】  犬の飼い主は、犬を散歩に連れて行く前に、３０３に３０７を入れて回転させしっかりと固定する。次に３０１の末端を３０４、３０５に通し３０２の円柱部分からはみ出した部分を２０３で巻いてしっかり固定する。そこで犬の大便用便器を、１０４の紐の結び目を３０２の円柱側にして、３０１の内側に入れて広口の部分を５〜１０ｃｍ外側に折り曲げ、１０４の紐の結び目を３０２の円柱の方向に引っ張ると犬の大便用便器はしぼられて下から３０１の内側に入る。この状態で１０４の紐の余った部分を３０１の金属線の根元、即ち３０２の円柱の前方にて、この３０１金属線の根元に３〜１０回程巻き付け残った部分を巻き付けた紐の部分に通して固定する。【００１０】  次に３０１金属線の鋭角部分を犬の大便用便器の先端に付けたポケット部分に入れる。こうすることによって道路の水溜まりに水溶紙がつかることがなくなり破れなくなるし、１０４の紐も切れることがなくなる。【００１１】  あとは伸縮自在棒を短く縮めて、フック（３０９）をポケットあるいはスカートのバンド部分等に引っかけると手に持つ必要はなくなる。【００１２】  これで犬の散歩の準備は万端整うので犬を散歩に連れ出す。【００１３】  散歩の途中で、犬が大便をする仕草をしだすと、ポケット等に引っかけた“犬のおトイレさん”を取り出し、３０７の伸縮自在棒を伸ばして犬の後ろ足の間に３０１の鋭角の部分を入れる。【００１４】  犬が大便を済ますと、３０７の伸縮自在棒を縮め、巻き込んだ１０４の紐をほどくと犬の大便の重みのために自然に、犬の大便用便器だけが補助具から離脱するので、離脱した犬の大便用便器の上部を再度１０４の紐で巻き込んで口の蓋をして、この紐（１０４）でくくって、補助具と別にして持ち帰る。【００１５】  帰宅後、トイレに行き犬の大便用便器の外側のビニール等を破線で引きちぎり、その中の水溶紙にくるまれた犬の大便を水溶紙ごとトイレの便器内に入れ水で流す。【００１６】  これで犬の大便は道路上に放置されることなく、また飼い主の手を汚すこともなく処理できる。
【図面の簡単な説明】
【図１】  犬の大便用便器の概略構成図
【図２】  マジックテープのオスとメスを背中合わせに張り付け一本のテープにしたところ
【図３】  補助具の概略構成図
【符号の説明】
１０１；水溶紙で作った口の広い円柱形便器
１０２；薄いビニール等で作りはがしやすいように破線を入れ下部にポケットを設けた便器の覆い
１０３；水溶紙で作った紐を通すための穴
１０４；水溶紙で作った紐
２０１；マジックテープのオス
２０２；マジックテープのメス
２０３；マジックテープのオスとメスを背中合わせに貼り合わせたテープ
３０１；先端を鋭角にし後方を円形にした金属線
３０２；円柱
３０３；先端内側にネジ切りを入れた円柱の中心の貫通穴
３０４；３０３の右横にあけた貫通穴
３０５；３０３の左横にあけた貫通穴
３０６；円柱（３０２）に設けたひっかけ
３０７；伸縮自在棒
３０８；ネジ切り
３０９；フック
【図１】
2005046131.tif 000003
【図２】
2005046131.tif 000004
【図３】
2005046131.tif 000005